(57)【要約】【課題】シート状から自由に変形可能であり、器状に形成して水を溜め、花器として使用したり、植木鉢を包んで、鉢カバーとして使用したりすることが可能な、保形材入りシートより成る花器又は鉢カバーを提供する。【解決手段】シート状本体に保形材を一体に取り付け、保形材の変形により立体に形成された花器又は鉢カバーについて、合成樹脂製の、より大形のシート材１２と、より小型のシート材１３とを、少なくともほぼ２重或いはそれ以上の大小のリング状部分１８、１９において貼り合わせることにより一体化された構造を持つシート状本体１１を有し、最も小型のリング状部分には底を形成する底保形材１４を配置し、それよりも大型のリング状部分には胴周りを形成する塑性変形可能な胴保形材１５を配置する。【選択図】          図７
0003132601.tif 000002
【実用新案登録請求の範囲】
【請求項１】
シート状本体に保形材を一体に取り付け、保形材の変形により立体に形成されたシートより成る容器であって、
合成樹脂製の、より大形のシート材と、より小型のシート材とを、少なくともほぼ２重或いはそれ以上の大小のリング状部分において貼り合わせることにより一体化された構造を持つシート状本体を有し、
最も小型のリング状部分には底を形成する底保形材を挿入し、それよりも大型のリング状部分には胴周りを形成する塑性変形可能な胴保形材を挿入して成る、
保形材入りシートより成る容器。
【請求項２】
より大形のシート材は、より厚手かつ硬質の合成樹脂から成り、より小型のシート材は、より薄手かつ軟質の合成樹脂から成り、より大形のシート材とより小型のシート材のどちらかは着色し、より小型のシート材に、釣り下げ用のフック類を掛ける掛け止め部を設けた構成を有する請求項１記載の保形材入りシートより成る容器。
【請求項３】
最も小型のリング状部分に挿入する底保形材として、板状の部材を使用し、より大形のリング状部分に挿入する胴保形材として、被覆された針金状材料を使用して成る請求項１記載の保形材入りシートより成る容器。
【請求項４】
より大形のシート材と、より小型のシート材との貼り合わせをヒートシール手段によって行なうとともに、最も小型のリング状部分は１重のヒートシール部によって形成し、より大形のリング状部分は内外２重かつ相似形のヒートシール部によって形成し、１重のヒートシール部の内側に底保形材を挿入し、２重のヒートシール部の間に胴保形材を挿入するようにした請求項１記載の保形材入りシートより成る容器。
【請求項５】
保形材の変形により立体に形成する際の目安として、より大形のシート材又はより小型のシート材に、リング状部分を円周方向に等分するマークが設けられている請求項１記載の保形材入りシートより成る容器。
【考案の詳細な説明】
【技術分野】
【０００１】
本考案は、シート状本体に保形材を一体に取り付け、保形材の変形により立体に形成された容器に関するものである。
【背景技術】
【０００２】
従来の花器すなわち花を生ける器や、植木鉢などは例えば、陶器、磁器、ガラス、樹脂或いは金属などによって形成されており、それ自体が美的な造形品である場合も少なくない。一方、土を詰めて植物を植えておくことを目的とした、ごく簡単な器としては素焼きの鉢や、軟質樹脂を用いて成形されたものがあるが、これらは、そのままでは花の展示に適当でないときは、鉢カバーなどと称するものによって装飾することが行なわれる。このような鉢カバーには、様々な種類の形状、模様からなるデザインを持ったものがみられるが、花器や鉢としての機能はなく、例えば水を撒きたくても不可能である。
【０００３】
これに対し、特開平５−４２９５８号は、シートを用いた装飾用入れ物の発明を開示している。同発明は内外二枚のシートの間に針金を貼着して、その塑性により任意の形状に変形させ、かつその形状を保持することができるものである。しかしながら、二枚のシートによる新鮮な外観を実現すると同時に針金を固定することができ、さらに作業効率を改善することができるとある説明では、二枚のシートの貼着で針金を固定しなければならない。シートの材料には、紙や布のほかに樹脂、金属、皮革など様々な材料を使用し得るため、散水に耐えないとはいえないが、そのような使い方は記載されていない。
【０００４】
【特許文献１】特開平５−４２９５８号
【考案の開示】
【考案が解決しようとする課題】
【０００５】
本考案は前記の点に着目してなされたものであり、その課題は、シート状から自由に変形可能であり、器状に形成して水を溜め、花器として使用したり、植木鉢を包んで、鉢カバーとして使用したりすることが可能な、保形材入りシートより成る花器又は鉢カバーを提供することである。また、本考案の他の課題は、花、或いは植物に合わせて自由な形状を創作することができ、また、使用しない状態ではシート状にして場所を取らずに保管できる保形材入りシートより成る容器を提供することである。
【課題を解決するための手段】
【０００６】
前記の課題を解決するため、本考案は、シート状本体に保形材を一体に取り付け、保形材の変形により立体に形成されたシートよりなる容器であって、合成樹脂製の、より大形のシート材と、より小型のシート材とを、少なくともほぼ２重或いはそれ以上の大小のリング状部分において貼り合わせることにより一体化された構造を持つシート状本体を有し、最も小型のリング状部分には底を形成する底保形材を挿入し、それよりも大型のリング状部分には胴周りを形成する塑性変形可能な胴保形材を挿入するという手段を講じたものである（請求項１記載の考案）。
【０００７】
本考案の対象となるものは、シート状本体から成る容器であり、例えば花器や鉢カバーなどとして使用される。また、ワインクーラーとしても使用可能である。これらは、共に、水を供給可能な状態で花や植物を活け、または、植えることができる点において共通する。保形材は、平たいシート状本体を立体化する手段であり、立体化したものを平たいシート状に戻す手段でもある。
【０００８】
本考案におけるシート状本体は、合成樹脂製の、より大形のシート材と、より小型のシート材とから成る、貼り合わせ構造を有するものとする。より大形のシート材とより小型のシート材は、どちらかを着色したり、図柄を形成したりするなどして、装飾性を持たせると、より効果的である。本考案において、より大形のシート材は、水を溜め、また、土を詰めるために花器又は鉢カバーなどの容器に必要な強度を与えるもので、より厚手かつ硬質の合成樹脂から成る。より小型のシート材も、花器又は鉢カバーに必要な強度を与えるものであるが、より薄手かつ軟質の合成樹脂から成る。より小型のシート材には、釣り下げ用のフックを掛ける掛け止め部を設けることができる（請求項２記載の考案）。
【０００９】
さらに、内外に少なくともほぼ２重或いはそれ以上の大小のリング状部分を形成するように貼り合わせることによって、より大形のシート材と、より小型のシート材とを一体化する。リング状部分は、円形のリングであれば、大小の円形リングが少なくとも２重の同心円を形成することになる。完全な２重だけではなく、ほぼ２重の、螺旋リングでも本考案の容器を形成することはできる。
【００１０】
最も小型のリング状部分には底を形成する底保形材を挿入し、それよりも大型のリング状部分には胴周りを形成する胴保形材を挿入する。保形材としては、塑性変形可能な線状材料を使用することができるが、最も小型のリング状部分に納まる、底保形材としては、板状の部材を使用し、胴保形材として、被覆された針金状材料より成るものを大形のリング状部分に挿入することが望ましい（請求項３記載の考案）。
【００１１】
より大形のシート材と、より小型のシート材との貼り合わせをヒートシール手段によって行なうとともに、最も小型のリング状部分は１重のヒートシール部によって形成し、より大形のリング状部分は内外２重かつ相似形のヒートシール部によって形成し、それらのヒートシール部によって底保形材と胴保形材が夫々固定されるように構成するものとする（請求項４記載の考案）。
【００１２】
より大形のシート材と、より小型のシート材とを、ヒートシール手段によって貼り合わせることにより、貼り合わせ構造が強固なヒートシール部から成るので、ヒートシール部の内側或いはヒートシール部の間の空所に、針金のように塑性を有する針金状材料を挿入して、動き得るように配置することができ、また、配置されている針金状材料を曲げることも自由にできるようになる。
【００１３】
また、保形材の変形によりシート状本体を立体的に形成する際の目安として、より大形のシート材又はより小型のシート材に、リング状部分を円周方向に等分するマークを設けることができる（請求項５記載の考案）。これは、保形材の変形により立体に形成する場合、マークをガイドとして、例えば等間隔に折り曲げ、フレアー（ひだ）の連続した筒状に形成することを可能にする。
【考案の効果】
【００１４】
本考案は以上のように構成されかつ作用するものであるから、シート状本体を、シート状から立体へ自由に変形可能であり、器状に形成して水を溜め、花器として使用したり、植木鉢を包んで、鉢カバーとして、さらにはワインクーラーなどとしても使用したりすることが可能な、保形材入りシートより成る容器を提供することができる。また、本考案によれば、花、或いは植物に合わせて自由な形状を創作することができる一方、使用しない状態ではシート状にして場所を取らずに保管できる保形材入りシートより成る容器を提供することができるという効果を奏する。
【考案を実施するための最良の形態】
【００１５】
以下図示の実施形態を参照して本考案をより詳細に説明する。図１は本考案に係る保形材入りシートより成る容器１０の一例を示すもので、シート状本体１１は、合成樹脂製の、方形に形成された、より大形のシート材１２と、円形に形成された、より小型のシート材１３とが、少なくともほぼ２重或いはそれ以上の大小のリング状部分において貼り合わせることにより一体化された構造を持っている。最も小型のリング状部分には、底を形成する底保形材１４を挿入し、それよりも大型のリング状部分には胴周りを形成する塑性変形可能な胴保形材１５を挿入している。
【００１６】
図示の例において、より大形かつ方形のシート材１２はより、厚手かつ硬質の合成樹脂からなり、より小型かつ円形のシート材１３は、より薄手かつ軟質の合成樹脂からなり、より小型のシート材１３は、装飾効果を高めるため着色されているものとする。さらに、より小型のシート材１３には、釣り下げ用のフック類を掛けるために２対４個の掛け止め部１６、１６′、１７、１７′が設けられている。釣り下げ用には、１対２個の掛け止め部１６、１６′だけでも良い。
【００１７】
上記の図示の例において、より大形のシート材１２とより小型のシート材１３を貼り合わせるための大小のリング状部分１８、１９は、図３Ａ、Ｂ、Ｃに示す手段、方法によって形成される。始めに、最も小型のリング状部分１８を形成するため、より大形のシート材１２とより小型のシート材１３の中央部に底を形成する底保形材１４を配置し、それを取り囲む１重のヒートシール部１８ａを形成する（図３Ａ）。次に、より大型のリング状部分の１９として、まず内側のヒートシール部１９ａを形成し（図３Ｂ）、それを取り囲むように胴周りを形成する胴保形材１５を配置し、さらに胴保形材１５を取り囲んで外側のヒートシール部１９ｂを形成する（図３Ｃ）。
【００１８】
底保形材１４と胴保形材１５は、１重のヒートシール部１８ａ及び内外２重のヒートシール部１９ａ、１９ｂによって位置規定されるが、その状態は図４に示したようになる。底保形材１４としては、最も小型のリング状部分に納まる、板状の部材を使用しており、胴保形材１５としては、塑性を有する線状材料使用する。そして、胴保形材１５には図４に示されているように、被覆された針金状材料を使用する。胴保形材１５として被覆線材を使用することにより、ヒートシール時に装置の電極から針金にスパークが飛ぶのを防止することができる（図４参照）。
【００１９】
図５は、このように構成されたシート状本体１１を用いて、胴保形材１５を変形させ、立体に形成した、本考案に係る保形材入りシートより成る容器１０の一例を示すものである。図５には、２重の同心円を形成する大小のリング状部分１８、１９を図示していないが、これはヒートシールにより凹状に変形しているだけで、目立たないことを示すためにそうしているもので、実際には底保形材１４の外側及び胴保形材１５の内側と外側に、ヒートシール部が存在する。
【００２０】
胴保形材１５の変形によりシート状本体１１を立体的に形成する際の目安として、例えばより大形のシート材１２に、大型のリング状部分１９を円周方向に等分するマーク２０を設けることができる。図６は、そのマーク２０の例を示しており、図６Ａでは、シート状本体１１の中心から一定半径の位置に、放射状に等間隔に設けた線から成るマーク２０を設け、マーク２０をガイドとして、例えば等間隔に折り曲げ、フレアー（ひだ）の連続した筒状に形成可能にした例を示す。図６Ｂは、マーク２０を単なる線ではなく、切子のような模様を構成するものとして装飾効果を持たせた例である。
【００２１】
図７は、このようにして形成された本考案に係る保形材入りシートより成る容器１０を、そのまま花器として使用する例である。図７の花器は、その内部に水を溜めることができ、観賞対象である切花２１は、剣山その他の保持具２２に固定して、花器に配置する。
【００２２】
図８は、上記の本考案に係る保形材入りシートより成る容器１０を、鉢カバーとして使用する例である。図８の鉢カバーは、鉢２３入りの植物２４を観賞対象とするもので、その内部に水を溜めることができるので、水を撒くことができるし、撒いた水はこの鉢カバー内部に保持される。図９は、容器１０に吊り下げ部材２５を取り付け、下げ飾りとして使用できるようにした例を示す。
【産業上の利用可能性】
【００２３】
シート状本体の掛け止め部１６、１６′に提げ手を取り付けることにより、バケツとしても使用可能である。
【図面の簡単な説明】
【００２４】
【図１】本考案に係る保形材入りシートより成る容器となるシート状本体の例を示す斜視図。
【図２】同じく平面図。
【図３】同じくシート状本体の製造工程を示すもので、Ａは底保形材を取り囲む１重のヒートシール部を形成する段階、Ｂは、より大型のリング状部分の内側のヒートシール部を形成する段階、Ｃは、それを取り囲む胴保形材の外側にヒートシール部を形成する段階を示す説明図。
【図４】同じくシート状本体の要部を拡大して示す断面図。
【図５】本考案に係る保形材入りシートより成る花器又は鉢カバーの斜視図。
【図６】シート状本体に施す円周方向に等分するマークの２例Ａ、Ｂを示す平面図。
【図７】本考案に係る保形材入りシートより成る容器の使用状態の一例を示す斜視図。
【図８】同じく他の例を示す斜視図。
【図９】さらに他の使用例を示す斜視図。
【符号の説明】
【００２５】
１０  保形材入りシートより成る花器又は鉢カバーとしての容器
１１  シート状本体
１２  より大型のシート材
１３  より小型のシート材
１４  底保形材
１５  胴保形材
１６、１７  掛け止め部
１８  小型のリング状部分
１９  大型のリング状部分
２０  マーク
２１  切花
２２  保持具
２３  鉢
２４  植物
【図１】
0003132601.tif 000003
【図２】
0003132601.tif 000004
【図３】
0003132601.tif 000005
【図４】
0003132601.tif 000006
【図５】
0003132601.tif 000007
【図６】
0003132601.tif 000008
【図７】
0003132601.tif 000009
【図８】
0003132601.tif 000010
【図９】
0003132601.tif 000011